(57)【要約】【課題】新聞を開かずに、紙面折り目中央の１点で綴じる、小型、軽量な新聞綴じ具を提供する。【解決手段】折畳まれた複数頁からなる新聞の最外側の紙面折り目の中央付近を指先等で凹まし、その凹んだ折り目の線上に、取っ手部の付いた螺子部の先部先端に設けられた針部からなる携帯型新聞綴じ具の針部を差込み、新聞の最内部の頁まで貫通させて後、取っ手部を回して螺子部を新聞内部にねじ込み、貫通により生じた新聞各紙面の穴周辺の紙片を螺子部の山と谷で順次挟み込み新聞を綴る方法と、その携帯型新聞綴じ具は、螺子部が基部から先部にかけて円錐状で、螺子部の先部先端には針部を有し、螺子部の基部は取っ手部の先部に固着されていることを主な特徴とし、新聞を綴じる際は、螺子部の先部先端より針部の尖端を出し、新聞を綴じ終わった後は針部の尖端を螺子部内部に収容することが可能である。【選択図】図１
2005262470.tif 000002
【特許請求の範囲】
【請求項１】
折畳まれた複数頁からなる新聞の最外側の紙面折り目の中央付近を指先等で凹まし、その凹んだ前記折り目の線上に、取っ手部の付いた螺子部の先部先端に設けられた針部からなる携帯型新聞綴じ具の前記針部を差込み、前記新聞の最内部の頁まで貫通させて後、前記取っ手部を回して前記螺子部を前記新聞内部にねじ込み、貫通により生じた前記新聞各紙面の穴周辺の紙片を前記螺子部の山と谷で順次挟み込むことを特徴とする新聞を綴る方法。
【請求項２】
新聞を綴じる携帯型新聞綴じ具であって、螺子部が基部から先部にかけて円錐状で、前記螺子部の先部先端には針部を有し、前記螺子部の基部は取っ手部の先部に固着されたことを特徴とする携帯型新聞綴じ具。
【請求項３】
請求項２に記載の携帯型新聞綴じ具において、先部が鋭利で基部にストッパーが形成された前記針部が、前記螺子部と前記取っ手部の中央部に設けられた貫通孔内に、前記取っ手部先部と前記ストッパーの間にコイルバネを介して進退可能に挿入されると共に、前記ストッパーの端部に設けた釦が、前記取っ手部側面に形成されたＬ字状の切溝に沿って、摺動可能にはめ込まれたことを特徴とする携帯型新聞綴じ具。
【発明の詳細な説明】
【技術分野】
【０００１】
本発明は、折畳まれた複数頁からなる新聞、以下新聞という。新聞の紙面の乱れを防止するための携帯型新聞綴じ具に関するものである。
【背景技術】
【０００２】
従来の新聞の綴じ方は、紙面折り目の耳部分を板状の器物で挟んだり、ホッチキス金具で綴じる方法が実用に共されている(例えば、特許文献１参照。)。
【０００３】
しかし、職場、公共施設や店舗以外では新聞を綴じずに読むために、紙面が乱れて、読み辛いために紙面折り目の上端や下端から最内部の頁に棒状物を挿入して折り目部分を挟む器物が考案された(例えば、特許文献２参照。)。
【特許文献１】実用新案出願公告昭３７−３１３０号公報
【特許文献２】特開平１０−８６５７８号公報
【発明の開示】
【発明が解決しようとする課題】
【０００４】
以上述べた従来の新聞の綴じ方では、造りが大きく、重厚で、器物の装着が面倒なため、読むときに、かさばり、邪魔になるという問題があった。
【０００５】
また、新聞を家庭、職場、公共施設や店舗で回し読みするときや、狭い空間や電車内で新聞を読む際に、紙面が乱れて読み辛く、読み終わった後に紙面が雑然となるという問題があった。
【０００６】
紙面折り目の耳を綴じる方法は、折り目付近の記事が読み辛く、紙面の折り目の上端や下端から最内側の頁に棒状物を挿入して折り目部分を挟む方法も、折り目中央付近の紙面が乱れるという問題があった。
【０００７】
このような問題を解決するために、新聞を開くことなく、紙面折り目の中央付近の１点を綴じる、小型、軽量な携帯型新聞綴じ具を提供するものである。
【課題を解決するための手段】
【０００８】
本発明は、新聞の最外側の紙面折り目の中央付近を指先等で凹まし、その凹んだ折り目の線上に、取っ手部の付いた螺子部の先部先端に設けられた針部からなる携帯型新聞綴じ具の針部を差込み、新聞の最内部の頁まで貫通させて後、取っ手部を回して螺子部を新聞内部にねじ込み、貫通により生じた新聞各紙面の穴周辺の紙片を螺子部の山と谷で順次挟み込むことを特徴とする新聞を綴る方法である。
【０００９】
この方法に用いる携帯型新聞綴じ具は、螺子部が基部から先部にかけて円錐状で、螺子部の先部先端には針部を有し、螺子部の基部は取っ手部の先部に固着されいる。なお、この携帯型新聞綴じ具は、先部が鋭利で基部にストッパーが形成された針部が、螺子部と取っ手部の中央部に設けられた貫通孔内に、取っ手部先部とストッパーの間にコイルバネを介して進退可能に挿入されると共に、ストッパーの端部に設けた釦が取っ手部側面に形成されたＬ字状の切溝に沿って摺動可能にはめ込まれ、釦操作により、コイルバネの反発力を利用し、新聞を綴じる際は、螺子部の先部先端より針部の尖端を出し、新聞を綴じ終わった後は針部の尖端を螺子部内部に収容することが可能である。
【発明の効果】
【００１０】
本発明の携帯型新聞綴じ具の大きさは、ダルマタイプの押しピン程度で小型、軽量のため、バックやポケットにも収納可能で、装着して新聞を読む際、携帯型新聞綴じ具を取り付けている感じがしない。
【００１１】
新聞を開くことなく、紙面折り目中央付近の１点に外側から簡単に装着できるため、狭い空間や電車内でも紙面が乱れることなく読み易く、家庭、職場、公共施設や店舗での回し読みをしても、紙面は何時も整然としている。
【００１２】
また、紙面折り目の１点で綴じているため、折り目付近の記事も確実に読め、読み終えた後は容易に取り外しが出来、元の新聞紙に戻り、整理が簡単で、携帯型新聞綴じ具は何度でも再使用できる。
【発明を実施するための最良の形態】
【００１３】
新聞紙面を読み易く、整然と保つために、紙面折り目の外側から、簡単に綴じることが可能な携帯型新聞綴じ具の形態について説明する。
以下本発明の実施例として、携帯型新聞綴じ具の構造について図１、図２を、新聞を綴じる手順については図３〜図６を参酌し説明する。
【００１４】
図１は、新聞９を綴じる前の携帯型新聞綴じ具の構造図で、螺子部５の先部先端には、針部１を有し、螺子部５の基部は、皿面６を介して取っ手部７の先部に固着された携帯型新聞綴じ具であって、螺子部５は図１のように基部から先部に向かって円錐状で、木螺子のように細くなっている。
【００１５】
先部が鋭利で基部にストッパー３が形成された針部１が、螺子部５と取っ手部７の中央部に設けられた貫通孔内に、取っ手部７の先部とストッパー３の間にコイルバネ２を介して、進退可能に挿入されると共に、ストッパー３の端部に設けた釦４が、取っ手部７の側面に形成されたＬ字状の切溝８に沿って摺動可能にはめ込まれており、釦４を切溝８に沿ってスライドして、コイルバネ２を圧縮し、Ｌ字に固定することにより、針部１の尖端が螺子部５の先部先端から突き出ている。
【００１６】
図２は、新聞９を綴じ終わった後の携帯型新聞綴じ具の構造図で、新聞９を綴じ終わった後に、安全のため、固定していた釦４をＬ字から開放することにより、コイルバネ２の反発力で、釦４が切溝８に沿ってスライドして、取っ手部７の基部側に戻り、針部１の尖端を螺子部５の内部に収容する。
【００１７】
携帯型新聞綴じ具の大きさは、ダルマタイプの押しピン程度で、長さは概ね、全長２７ｍｍ程度、各部の内訳は針部１が１８ｍｍ、針部１の尖端が螺子部５の先部先端から突き出ている部分は６ｍｍ、螺子部５は８ｍｍ、皿面６は１ｍｍ、取っ手部７は１２ｍｍ程度、取っ手部７の外径は概ね１０ｍｍ程度が望ましい。
【００１８】
図３は、携帯型新聞綴じ具の針部１を紙面折り目に差し込む説明図で、新聞９を綴じるために、釦４はＬ字に固定され、針部１の尖端が、螺子部５の先部先端から突き出ている状態で、新聞９の最外側の紙面折り目の中央付近を指先等で凹まし、その凹んだ部分１０の折り目の線上の×印に針部１の尖端を差込む。
【００１９】
図４は、針部１の尖端が全紙面の折り目を貫通した説明図で、手で取っ手部７を押し込むことにより、針部１の尖端が最内部の頁まで全紙面貫通後、最外側紙面折り目が針部１の尖端と螺子部５の境界まで到達している。
【００２０】
図５は、螺子部５で全紙面の折り目部分を綴じ込んだ説明図で、手で取っ手部７を、ねじ込むようにして回すと、貫通した各紙面の穴周辺の紙片を螺子部５の山と谷で順次挟んでいき、最外側紙面折り目が皿面６に到達し、全紙面が螺子部５にねじ込まれ、その後取っ手部７は固くて回り辛くなり、新聞９を綴じ終わる。
【００２１】
図６は、針部１の尖端を螺子部５に収容して新聞９を読む時の説明図で、新聞９を綴じ終わった後、安全のため、固定していた釦４をＬ字から開放することにより、コイルバネ２の反発力で、釦４が切溝８に沿ってスライドして取っ手部７の基部側に戻り、針部１の尖端を螺子部５の内部にワンタッチで収容してから新聞を読む。
【００２２】
また、読み終えた後、新聞９から携帯型新聞綴じ具を取り外す場合は、手で取っ手部７を逆に回せば、簡単に外れ、元の新聞紙に戻り、携帯型新聞綴じ具は何度でも再使用できる。
【図面の簡単な説明】
【００２３】
【図１】新聞を綴じる前の携帯型新聞綴じ具の構造図
【図２】新聞を綴じ終わった後の携帯型新聞綴じ具の構造図
【図３】携帯型新聞綴じ具の針部を紙面折り目に差し込む説明図
【図４】針部の尖端が全紙面の折り目を貫通した説明図
【図５】螺子部で全紙面の折り目部分を綴じ込んだ説明図
【図６】針部の尖端を螺子部に収容して新聞を読む時の説明図
【符号の説明】
【００２４】
１    針部
２    コイルバネ
３    ストッパー
４    釦
５    螺子部
６    皿面
７    取っ手部
８    切溝
９    新聞
１０    凹んだ部分
【図１】
2005262470.tif 000003
【図２】
2005262470.tif 000004
【図３】
2005262470.tif 000005
【図４】
2005262470.tif 000006
【図５】
2005262470.tif 000007
【図６】
2005262470.tif 000008